(57)【要約】【課題】施工工事が比較的に簡単で施工期間も短くて済む水中構造体のアンカーブロックを提供する。【解決手段】水中構造体の移動を防止するために使用されるアンカーブロック１において、上方に開口した中空の枠体ブロック１１と、上記枠体ブロックの内部に配置されるべきアンカープレート２１と、上記水中構造体を取り付けるための取付部を備え上記アンカープレートに取り付けられるアンカーボルト２２と、上記枠体ブロックの内部に充填されて上記アンカープレートと上記枠体ブロック間を埋設する複数の埋設部材３と、を含む。それにより、水中構造体をその下方より支持・固定する構造を得ることができ、水中構造体の設置が容易となる。【選択図】      図１
2004183357.tif 000002
【特許請求の範囲】
【請求項１】
水中に設けられる水中構造体の移動を防止するために使用されるアンカーブロックであって、
上方に開口した中空の枠体ブロックと、
前記枠体ブロックの内部に配置されるべきアンカープレートと、
前記水中構造体を取り付けるための取付部を備え前記アンカープレートに取り付けられるアンカーボルトと、
前記枠体ブロックの内部に充填されて前記アンカープレートと前記枠体ブロック間を埋設する複数の埋設部材と、
を含むアンカーブロック。
【請求項２】
前記枠体ブロックがコンクリートによって形成されている請求項１記載のアンカーブロック。
【請求項３】
前記枠体ブロックの内径が上方から下方に向かうに従って漸次増加するように前記枠体ブロックの内壁の少なくとも一部が傾斜している請求項１又は２に記載のアンカーブロック。
【請求項４】
前記アンカープレート上に前記複数の埋設部材が連接して配置される請求項１乃至３のいずれかに記載のアンカーブロック。
【請求項５】
前記アンカーボルトが引き上げられると前記アンカープレート上の前記埋設部材が前記枠体ブロックの内壁に突き当たって前記枠体ブロックと前記アンカープレートとの相対的な移動を阻止する請求項１乃至４のいずれかに記載のアンカーブロック。
【請求項６】
前記アンカープレートの大きさは前記枠体ブロックの開口部よりも小さく、該アンカープレートの外周と前記枠体ブロックの内壁面との隙間が少なくとも前記アンカープレート上に存在する前記埋込部材の大きさよりも小さい請求項１乃至５のいずれかに記載のアンカーブロック。
【請求項７】
前記埋込部材が玉石、川床石、砕石等の石材、煉瓦、セメント成型品、を含む請求項１乃至６のいずれかに記載のアンカーブロック。
【請求項８】
前記枠体ブロックの外壁が他の枠体ブロックの外壁と係合可能な形状を有する請求項１乃至７のいずれかに記載のアンカーブロック。
【請求項９】
前記アンカーボルトの取付部に前記水中構造体を鎖、針金及びワイヤのいずれかを介して取り付ける請求項１乃至８のいずれかに記載のアンカーブロック。
【請求項１０】
水中に設けられる水中構造体の移動を防止するために使用されるアンカーブロックであって、
上下方向に貫通し、その内径が上方から下方に向かうに従って漸次増加するようにその内壁の少なくとも一部が傾斜している開口部を有する中空の枠体ブロックと、
前記水中構造体を取り付けるための取付部を有し、前記枠体ブロックの内部に配置されて複数の埋設部材によって充填されるべきアンカーと、
を含むアンカーブロック。
【請求項１１】
請求項１乃至１０のいずれかに記載のアンカーブロックに取り付けられる木製又はコンクリート製の水中構造体。
【請求項１２】
上下方向に開口部を有する枠体ブロックを所定の位置に複数配置するブロック配置工程と、
各枠体ブロックの開口部内に取付部を有するアンカーを配置するアンカー配置工程と、
各枠体ブロックの開口部内を複数の埋設部材で埋設するアンカー埋設工程と、
水中構造体を組み立てる水中構造体組立工程と、
前記水中構造体を前記アンカーの取付部を利用して固定する取付工程と、
を含む水中構造体の設置方法。
【請求項１３】
前記枠体ブロックの内周側の少なくとも一部に前記埋設部材の上方への移動を妨げる傾斜面が形成されている請求項１２に記載の水中構造体の設置方法。
【請求項１４】
前記アンカーは、アンカープレートとこのアンカープレートに取り付けられるアンカーボルトとを含み、
前記アンカー配置工程は、前記アンカーを前記枠体ブロックの開口部内の底部に配置し、
前記アンカー埋設工程は、前記開口部内に配置されたアンカーのアンカープレート上に前記埋設部材を前記枠体ブロックの内壁面間に連接するように配置する、
請求項１２又は１３に記載の水中構造体の設置方法。
【請求項１５】
前記埋設部材は玉石、川床石、砕石等の石材、煉瓦、セメント成型品、を含む請求項１２乃至１４のいずれかに記載の水中構造体の設置方法。
【発明の詳細な説明】
【０００１】
【発明の属する技術分野】
本発明は河川等に設置される水中構造体を固定するアンカーブロックに関する。
【０００２】
【従来の技術】
河川等の水流によって岸辺が浸食されるのを防止するために、水中に構造体を設置して水流を弱めるようにする場合がある。例えば、木材やコンクリート柱を組み立てて河川の岸辺近くに設置するものである。
【０００３】
図１０は、このような水中構造体の一例を示しており、聖牛と呼ばれている。聖牛は、木材（間伐材等）で三角形状の大、中、小の合掌材を組み、これ等合掌材の結束部を棟材や桁材で後方から支持するようにしており、全体としてみれば底部が上流側を、頂点が下流側を向くようにした三角錐状の柱状構造体である。聖牛には太い針金によって形成された網に石を詰めたいわゆる蛇篭をのせ、これを錘として聖牛を岸辺に固定してその流失を防止している。このような水中構造体を岸辺に沿って複数配置すると河川の流水のエネルギが減勢し、岸辺や川底の土石の浸食を減少させる効果が得られる。
【０００４】
また、特許２６０８１８号には、三角の枠体を石材を詰めたふとん篭を錘として岸辺に固定し、岸辺の浸食を防止するようにした発明が記載されている。
【０００５】
【特許文献１】
特許２６０８１８号
【発明が解決しようとする課題】
しかしながら、上述のような水中構造体を使用する護岸の工法では、現場で手作業によって蛇篭（あるいはふとん篭）に石材を詰め、また篭を編むために熟練した技術者を必要とし、施工に時間もかかる。
【０００６】
また、増水等によって流れて来る流木やゴミが蛇篭（あるいはふとん篭）に引っ掛かり、景観上好ましくないばかりか、水中構造体の水流への抵抗が増えて水中構造体が流失する原因ともなり得る。
【０００７】
更に、水中構造体を木材で構成し、錘として石材を使用した場合には、いわゆる水中生物や景観等の「環境」に配慮した河川工事として好ましいものであるが、木材の腐食、木材と木材の結束に使用する鉄線の腐食、蛇篭等の針金の腐食などによっていずれ水中構造体や蛇篭等の交換が必要となる。このときの再工事が容易で低コストあることが望まれる。
【０００８】
よって、本発明は施工工事が比較的に簡単で施工期間も短くて済む水中構造体のアンカーブロックを提供することを目的とする。
【０００９】
また、本発明はこのアンカーブロックを使用した水中構造体の施工方法を提供することを目的とする。
【００１０】
また、本発明は流木やゴミなどが引っ掛かりにくいアンカーブロックを提供することを目的とする。
【００１１】
【課題を解決するための手段】
上記目的を達成するため本発明のアンカーブロックは、水中に設けられる水中構造体の移動を防止するために使用されるアンカーブロックにおいて、上方に開口した中空の枠体ブロックと、上記枠体ブロックの内部に配置されるべきアンカープレートと、上記水中構造体を取り付けるための取付部を備え上記アンカープレートに取り付けられるアンカーボルトと、上記枠体ブロックの内部に充填されて上記アンカープレートと上記枠体ブロック間を埋設する複数の埋設部材と、を含んでいる。
【００１２】
かかる構成とすることによって、例えば、「聖牛」のような水中構造体の上に蛇篭のような重量物を載せた構造とは異なり、水中構造体をその下方より支持・固定する構造を得ることができ、水中構造体の設置が容易となる。また、重量物を撤去せずに水中構造体を交換することも可能となる。また、アンカープレート、及びアンカーボルトを含むアンカーの交換も可能となって具合がよい。
【００１３】
また、水中構造体に流水が作用した場合にアンカーに上方に向かう力が生じる。このとき、アンカープレート上に存在する埋設部材の自重が荷重となって上方に向かう力に抵抗する。更に、枠体ブロックの内壁と埋設部材間の摩擦抵抗によって枠体ブロックの自重も上方に向かう力に抵抗する力となる。よって、水中構造体の流失を防止することが可能となる。一例を挙げれば、枠体ブロックは２ｔ程度、埋設部材は２トン程度の重量であるが、種々の形状・重量の物が製造可能であり、この重量に限定されるものではない。
【００１４】
また、アンカーに取付部が設けられているので水中構造体の固定及び固定の解除が容易である。また、埋設部材を枠体ブロック内から除くことによってアンカーを交換することも容易にできる。従って、丸太や鉄材などの劣化・腐食する材料を用いた水中構造体、鉄板等の腐食するアンカーを使用してもこれ等の交換のための工事、工事期間、工事費用等の点で具合がよい。
【００１５】
水中構造体は水流のエネルギを減少させる物であり、例えば、木材、鉄骨、コンクリート柱等を使用して形成することができる。水中構造体には既述した丸太（間伐材）を組み合わせた「聖牛」が含まれる。
【００１６】
上記枠体ブロックは、例えば、コンクリートによって形成されて長期間の使用が可能である。
【００１７】
好ましくは、上記枠体ブロックの内径が上方から下方に向かうに従って漸次増加するように上記枠体ブロックの内壁が傾斜している。すなわち、枠体ブロックの内壁面にアンカーの上方への移動を妨げるように傾斜面（テーパ面）が形成される。傾斜面は内壁面の一部に形成されるものであってもよい。
【００１８】
かかる構成とすることによって、アンカーが上昇して傾斜面に埋設部材が突き当たると傾斜面からの抗力によってアンカープレート上の外周側に存在する埋設部材を枠体ブロックの中央に向かわせる力が作用し、アンカープレート上の各埋設部材は密接（あるいは連接）して枠体ブロックの内壁面間に橋架した一枚の板のように作用してアンカーの上昇を阻止する。それにより、埋設部材と枠体ブロックの合計重量がアンカーに接続された水中構造体の移動を阻止するように作用する。
【００１９】
アンカープレートの大きさは前記枠体ブロックの開口部よりも小さくすることによって枠体ブロックからアンカーの取り出しを容易にする。また、該アンカープレートの外周と枠体ブロックの内壁面との隙間が少なくともアンカープレート上の外周側に存在する埋込部材の大きさよりも小さくなるようにすることによって、アンカーに上方に移動させる力が作用したときに、アンカープレートの外周と枠体ブロックの内壁面との隙間から埋設部材が脱落することを防止する。
【００２０】
埋込部材は、例えば、玉石、川床石等の石材、煉瓦、セメント成型品、を含む。このような物を埋め込み材として使用することによって水性生物の住みやすい環境を提供し得る。また、簡単に埋込部材を枠体ブロックから除くことができるのでアンカーを取り出して交換することができる。なお、土砂を埋込部材として使用することもできる。
【００２１】
好ましくは、枠体ブロックの外壁を他の枠体ブロックの外壁と係合可能な形状とし、河床や岸辺に枠体ブロックが流され難いように配列することを可能とする。
【００２２】
また、アンカーボルトの取付部に水中構造体を鎖、針金、ワイヤ等をを介して取り付けることによって、水中構造体の取付及び取り外しを容易にすることができる。
【００２３】
また、本発明のアンカーブロックは、水中に設けられる水中構造体の移動を防止するために使用されるアンカーブロックにおいて、上下方向に貫通し、その内径が上方から下方に向かうに従って漸次増加するようにその内壁の少なくとも一部が傾斜している開口部を有する中空の枠体ブロックと、上記水中構造体を取り付けるための取付部を有し、上記枠体ブロックの内部に配置されて複数の埋設部材によって充填されるべきアンカーと、を含む。それにより、上述したような効果を得ることができる。
【００２４】
また、本発明の水中構造体は上述したアンカーブロックに取り付けられるので、設置・交換が容易である。
【００２５】
本発明の水中構造体の設置方法は、上下方向に開口した枠体ブロックを所定の位置に複数配置する工程と、各枠体ブロックの中に取付部を有するアンカーを設置する工程と、各枠体ブロックの中を埋設部材で埋設する工程と、水中構造体を組み立てる工程と、上記水中構造体を上記アンカーの取付部を利用して固定する工程と、を含む。
【００２６】
かかる構成とすることによって予めアンカーとブロックを配置した上で水中構造体を組み立てるので、水中構造体の設置が容易となる。また、各枠体ブロック、埋設部材、アンカーを別々に搬送して現場で組み立てることができるので具合がよい。ここで、枠体ブロックを配置する「所定の位置」には、河床、川岸、海岸、渓岸等が含まれる。
【００２７】
【発明の実施の形態】
以下、本発明の実施の形態について図面を参照して説明する。
【００２８】
図１及び図２は、本発明に係るアンカーブロックの例を示しており、図１はアンカーブロックを斜め上方から見た斜視図である。図２（ａ）は、図１のＡ−Ａ方向における断面を示す断面図、図２（ｂ）は、図１のＢ−Ｂ方向における断面を示す断面図である。
【００２９】
図１及び図２に示すように、アンカーブロック１は枠体ブロック１とアンカー２を含んでいる。枠体ブロック１は概略「ロ」の形状をしている。上下面の中央部が貫通しており、図２に示すように、上面の開口部の開口径が下面の開口部の開口径よりも狭く形成されている。それにより、枠体ブロックの内壁面は上方から下方に向かって開口径が増加する傾斜面（テーパ面）となっている。なお、後述の埋設部材との間で所要の係合が得られれば、枠体ブロックの内周側の一部の内壁面を傾斜面とするものであってよい。また、埋設部材との間で所要の摩擦が得られる場合には傾斜のない垂直な壁面であっても良い。枠体ブロック１１の外周には凹凸が形成されている。後述するように、この凹凸を利用して枠体ブロック同士を係合することにより、流失しにくいブロック配列を可能としている。枠体ブロック１１はコンクリートによって製造され、所要の重量と耐水性・耐久性を備えている。
【００３０】
アンカー２は、アンカープレート２１とアンカーボルト２２によって構成されている。アンカーボルト２２は金属製の棒であり、例えば、鉄やステンレス製の棒である。アンカーボルト２２の下端部にはネジ溝が形成されてアンカープレート２１の中央に形成された貫通孔に挿入され、アンカープレート２１の両側にそれぞれ取り付けられた２つのナットによって締結されている。アンカーボルト２２の上端部側には、例えば、棒材を曲げて溶接した環状の取付部２３が形成されている。
【００３１】
図２に示すように、アンカープレート２１の外形よりも枠体ブロック１１の上部開口径が大きいので枠体ブロック１１を河床などに設置した後に、枠体ブロック１１内にアンカー２を配置することができる。
【００３２】
図３は、枠体ブロック１１内を埋設部材３で充填した状態を示したものであり、同図において図２と対応する部分には同一符号を付し係る部分の説明は省略する。
【００３３】
埋設部材３は枠体ブロック１１とアンカープレート２１によって囲繞される空間を埋め込んでいる。埋設部材３は、好ましくは、玉石、川床石、砕石等の石材であるが、煉瓦、セメント成型品等であっても良い。自然石を使用すると埋設部材３相互間の隙間が水生生物の生息環境を提供する。アンカープレート２１上の埋設部材３の大きさは、アンカープレート２１の外周部（外縁部）と枠体ブロック１１の内壁との隙間αよりも大きい物を使用するのが望ましい。それにより、アンカー２が持ち上げられたときの埋設部材３のアンカー２下方への落下を防止することができる。埋設部材３はアンカープレート２１の移動を防止する重量物であり、例えば、２ｔのセメント製枠体ブロック１１内に２ｔ程度充填される。
【００３４】
前述したように、水中構造体４に水流が作用してアンカー２が持ち上げられると、埋設部材３の重量、埋設部材３と枠体ブロック１１内壁との摩擦や傾斜面による係合によって、アンカー２に埋設部材３及び枠体ブロック１１の総重量が加わってその移動を阻止するように作用し、水中構造体４の流失を防止する。
【００３５】
図４乃至図６は、アンカーブロックの組立手順を示している。アンカーブロックは工事現場で組み立てることができる。
【００３６】
まず、図４（ａ）及び同（ｂ）に示すように、アンカー２を組み立てる。アンカー２は、例えば、アンカープレート２１とアンカーボルト２２、ナット２４によって構成されている。アンカープレート２１は金属板、例えば、鉄板であり、その中央部には貫通孔が形成されている。この貫通孔にナット２４を通したアンカーボルト２２のネジ部をアンカープレート２１の一面側から挿通し、アンカープレート２１の他面側で該ネジ部に他のナット２４を取り付けて両側からアンカープレートを狭持するように締め付け、固定する。なお、アンカーボルト２２にかえてアンカーワイヤー（鋼線）や針金等を使用しても同様の役割を果たすことが可能であり、アンカーボルト２２と均等物である。
【００３７】
更に、図４（ｃ）及び図７に示すように、例えば、コンクリート成型品として製造された枠体ブロック１１を河川の河床、岸辺、渓岸、海岸などの所定の場所に配置する。枠体ブロック１１は流水によって移動しないように、あるいは設置した枠体ブロック１１の配列がずれないようにするために、枠体ブロック１１の外周に形成された凹凸形状が相互に噛み合う（あるいは係合する）ように配置される。なお、必要により、配置場所に下地部材が設けられたり、下地の工事が行われる。
【００３８】
図５（ａ）及び図８に示すように、設置された各枠体ブロック１１の開口部の中にアンカー２をそれぞれ配置する。枠体ブロック１１は中央部に貫通口が形成されて形状をしており、この例では、開口部の底部（河床あるいは下地部材上）の中央にアンカー２が位置するように配置されている。
【００３９】
図５（ｂ）に示すように、アンカー２のアンカープレート２１の直上に埋設部材３を配置する。埋設部材３は隣接する埋設部材同士が接するように配置され、枠体ブロック１１の開口部の内壁間に連接するように配置される。また、アンカープレート２１と枠体ブロック１１の開口部の内壁間隙間αよりも大きい埋設部材３を少なくともアンカープレート２１の外周側に配置する。それにより、隙間αからの埋設部材３の脱落を防止する。上述したように、埋設部材３としは、現場で入手可能な玉石、河床の石などの石材が該当する。また、砕石であっても良い。砂浜の海岸などの石の入手が困難な場所では、セメント加工品、例えば、ボール状のセメント成型品、煉瓦等を用いることが可能である。
【００４０】
図５（ｂ）及び図８に示すように、枠体ブロック１１の開口部の内部を埋設部材３によって埋設する。例えば、枠体ブロック１１の重量は２ｔ程度、使用された埋設部材３の総重量は２ｔ程度であり、水中構造体の錘としては４ｔ程度のものとなり、アンカーブロック１として所要の重量を確保できる。なお、アンカーブロック１の大きさや重量は適宜に選定されるものである。
【００４１】
次に、図９に示すように、配置された各アンカーブロック上に水中構造体４を組み立てる。図９（ａ）は、組み立てられた水中構造体を説明する平面図、同（ｂ）は、その正面図である。
【００４２】
同図に示されるように、河床に錘としてのアンカーブロック１が平面的に配置されるので、流木やゴミがアンカーブロック１に引っ掛かることを減少することが可能である。また、アンカーブロック１は相互に組み合わせされているので流出しにくい。また、水中構造体４の各構成部材はアンカーブロック１に固定されるので流失しにくい。
【００４３】
水中構造体４は、好ましくは、丸太（木材）を組み合わせた「聖牛」であるがこれに限定されるものではない。例えば、コンクリートの柱、金属柱、プラスチック柱、等の構造物であっても良い。
【００４４】
この水中構造体４の部材３１のアンカーブロック１へ取付は、図６に示すように、各アンカーの取付部２３と水中構造体４の各部材３１とを鎖、針金、ワイヤー、等の連結部材３２によって接続することによって行うことができる。従って、水中構造体４を下地のアンカーブロック群に合わせて精密に作る必要がなく、精密な組み立ても必要としない。これは、現場作業を容易にして具合がよい。
【００４５】
一方、腐食等によって劣化した水中構造体４を交換する場合には、連結部材３２を外すことによって水中構造体４を交換できる。また、石材などの埋設部材３を枠体ブロック１１から除くことによって、アンカー２を交換することができる。従って、アンカー２を鉄板などの金属によって構成した場合にも、腐食したアンカー２を容易に交換可能である。従って、交換や補修に大がかりな工事を必要とせず、交換・工事の費用も安価となって具合がよい。
【００４６】
【発明の効果】
以上説明したように、本発明のアンカーブロック、水中構造物、水中構造体の設置方法によれば、水中構造物の設置、交換、補修が容易であり、施工工事が比較的に簡単で施工期間も短くて済む。
【図面の簡単な説明】
【図１】図１は、本発明に係るアンカーブロックを説明する斜視図である。
【図２】図２（ａ）は、図１に示すアンカーブックのＡ−Ａ方向における断面図である。同（ｂ）は、図１に示すアンカーブックのＡ−Ａ方向における断面図である。
【図３】図３（ａ）は、図１に示すアンカーブック（石材充填状態）のＡ−Ａ方向における断面図である。同（ｂ）は、図１に示すアンカーブック（石材充填状態）のＡ−Ａ方向における断面図である。
【図４】図４（ａ）乃至（ｃ）は、アンカーブロックの組み立てを説明する工程図である。
【図５】図５（ａ）乃至（ｃ）は、アンカーブロックの組み立てを説明する工程図である。
【図６】図６は、アンカーブロックの組み立てを説明する工程図である。
【図７】図７は、アンカーブロックの配置例を説明する説明図である。
【図８】図８は、配置したアンカーブロックの組み立てを、埋設材の埋設の前後の様子で説明する説明図である。
【図９】図９（ａ）及び同（ｂ）は、組み立てられたアンカーブロックへの水中構造体（聖牛）の取付を説明する平面図及び正面図である。
【図１０】図１０は、水中構造体（聖牛）の例を説明する斜視図である。
【符号の説明】
１  アンカーブロック、  ２  アンカー、  ３  水中構造体４
【図１】
2004183357.tif 000003
【図２】
2004183357.tif 000004
【図３】
2004183357.tif 000005
【図４】
2004183357.tif 000006
【図５】
2004183357.tif 000007
【図６】
2004183357.tif 000008
【図７】
2004183357.tif 000009
【図８】
2004183357.tif 000010
【図９】
2004183357.tif 000011
【図１０】
2004183357.tif 000012